Podtech/llm-jp-corpus-v4-ja_patent huggingface dataset:
【手続補正書】
【提出日】平成27年6月8日(2015.6.8)
【手続補正１】
【補正対象書類名】特許請求の範囲
【補正対象項目名】全文
【補正方法】変更
【補正の内容】
【特許請求の範囲】
【請求項１】
複数の階層に分かれた画像（６０）を切替え可能に表示する表示部（５２）に対して別体で形成されており、操作面（３２）に対する使用者の指操作によって、前記画像（６０）を操作するための入力が行われる入力装置であって、
前記指操作時の前記操作面（３２）に対する指の操作状態を検出する検出手段（３１）と、
前記検出手段（３１）によって検出された前記操作状態に対する判定が、前記操作面（３２）に接触する接触状態に対して、前記操作面（３２）に近接した近接状態にあると、前記表示部（５２）に表示される前記画像（６０）の少なくとも一部（６２、６４）の鮮明度を、前記接触状態のときよりも低下させる制御部（３３）とを備え、
前記画像（６０）には、前記複数の階層のうち所定階層における前記画像（６０）の種類を示すメニュー項目（６１）が表示されるようになっており、
前記制御部（３３）は、前記画像（６０）の少なくとも一部（６２、６４）の鮮明度を低下させる際に、前記メニュー項目（６１）については、前記接触状態のときの鮮明度を維持することを特徴とする入力装置。
【請求項２】
複数の階層に分かれた画像（６０）を切替え可能に表示する表示部（５２）に対して別体で形成されており、操作面（３２）に対する使用者の指操作によって、前記画像（６０）を操作するための入力が行われる入力装置であって、
前記指操作時の前記操作面（３２）に対する指の操作状態を検出する検出手段（３１）と、
前記検出手段（３１）によって検出された前記操作状態に対する判定が、前記操作面（３２）に接触する接触状態に対して、前記操作面（３２）に近接した近接状態にあると、前記表示部（５２）に表示される前記画像（６０）の少なくとも一部（６２、６４）の鮮明度を、前記接触状態のときよりも低下させる制御部（３３）とを備え、
前記画像（６０）には、前記複数の階層のうち所定階層における前記画像（６０）の種類を示すメニュー項目（６１）が表示されるようになっており、
前記制御部（３３）は、前記画像（６０）の少なくとも一部（６２、６４）の鮮明度を低下させる際に、前記メニュー項目（６１）のうち、前記使用者によって選択された項目のみについて、前記接触状態のときの鮮明度を維持することを特徴とする入力装置。
【請求項３】
前記制御部（３３）は、前記近接状態において前記操作面（３２）から前記指が遠ざかるほど、前記画像（６０）の鮮明度をより大きく低下させることを特徴とする請求項１または請求項２に記載の入力装置。
【請求項４】
前記鮮明度が低下される少なくとも一部の画像（６２、６４）は、前記画像（６０）を操作するためのアイコン（６２）、あるいは前記指操作時の指の位置を示すポインタ（６４）であることを特徴とする請求項１〜請求項３のいずれか１つに記載の入力装置。
【請求項５】
前記制御部（３３）は、前記検出手段（３１）によって検出された前記操作状態に対する判定が、前記操作面（３２）に対して前記近接状態よりも遠ざかる非接触状態にあると、前記表示部（５２）に表示される前記画像（６０）の鮮明度を前記接触状態のときの鮮明度に維持することを特徴とする請求項１〜請求項４のいずれか１つに記載の入力装置。
【手続補正２】
【補正対象書類名】明細書
【補正対象項目名】００１１
【補正方法】変更
【補正の内容】
【００１１】
第１の発明では、複数の階層に分かれた画像（６０）を切替え可能に表示する表示部（５２）に対して別体で形成されており、操作面（３２）に対する使用者の指操作によって、画像（６０）を操作するための入力が行われる入力装置であって、
指操作時の操作面（３２）に対する指の操作状態を検出する検出手段（３１、３３）と、
検出手段（３１、３３）によって検出された操作状態に対する判定が、操作面（３２）に接触する接触状態に対して、操作面（３２）に近接した近接状態にあると、表示部（５２）に表示される画像（６０）の少なくとも一部（６２、６４）の鮮明度を、接触状態のときよりも低下させる制御部（３３）とを備え、
画像（６０）には、複数の階層のうち所定階層における画像（６０）の種類を示すメニュー項目（６１）が表示されるようになっており、
制御部（３３）は、画像（６０）の少なくとも一部（６２、６４）の鮮明度を低下させる際に、メニュー項目（６１）については、接触状態のときの鮮明度を維持することを特徴としている。
また、第２の発明では、複数の階層に分かれた画像（６０）を切替え可能に表示する表示部（５２）に対して別体で形成されており、操作面（３２）に対する使用者の指操作によって、画像（６０）を操作するための入力が行われる入力装置であって、
指操作時の操作面（３２）に対する指の操作状態を検出する検出手段（３１、３３）と、
検出手段（３１、３３）によって検出された操作状態に対する判定が、操作面（３２）に接触する接触状態に対して、操作面（３２）に近接した近接状態にあると、表示部（５２）に表示される画像（６０）の少なくとも一部（６２、６４）の鮮明度を、接触状態のときよりも低下させる制御部（３３）とを備え、
画像（６０）には、複数の階層のうち所定階層における画像（６０）の種類を示すメニュー項目（６１）が表示されるようになっており、
制御部（３３）は、画像（６０）の少なくとも一部（６２、６４）の鮮明度を低下させる際に、メニュー項目（６１）のうち、使用者によって選択された項目のみについて、接触状態のときの鮮明度を維持することを特徴としている。
【手続補正書】
【提出日】平成27年7月22日(2015.7.22)
【手続補正１】
【補正対象書類名】特許請求の範囲
【補正対象項目名】全文
【補正方法】変更
【補正の内容】
【特許請求の範囲】
【請求項１】
携帯端末装置から制御媒体装置を操作可能とするユーザを登録するユーザ登録手段と、
前記ユーザ登録手段によって登録されたユーザを削除するユーザ削除手段とを備え、
前記ユーザ削除手段は、前記ユーザ登録手段によって最初に登録が行われたユーザが実行可能であることを特徴とする遠隔制御システム。
【請求項２】
携帯端末装置から制御媒体装置を操作可能とするユーザを登録するユーザ登録手段と、
前記ユーザ登録手段によって登録されたユーザを確認するユーザ確認手段とを備え、
前記ユーザ確認手段は、前記ユーザ登録手段によって最初に登録が行われたユーザが実行可能であることを特徴とする遠隔制御システム。
【請求項３】
携帯端末装置から制御媒体装置を操作可能とするユーザを登録するユーザ登録手段と、
携帯端末装置による前記制御媒体装置の操作を許可するパスワードを変更するパスワード変更手段とを備え、
前記パスワード変更手段は、前記ユーザ登録手段によって最初に登録が行われたユーザが実行可能であることを特徴とする遠隔制御システム。
【請求項４】
請求項１乃至３の何れかの遠隔制御システムにおいて、
前記ユーザ登録手段によって登録できるユーザの人数が制限されていることを特徴とする遠隔制御システム。
【請求項５】
請求項１乃至請求項４の何れかの遠隔制御システムにおいて、
前記ユーザ登録手段によってユーザが登録されると、前記ユーザ登録手段によって登録されている他のユーザ全員に対して、その旨がメールで通知されることを特徴とする遠隔制御システム。
【請求項６】
請求項１乃至請求項５の何れかの遠隔制御システムにおいて、
携帯端末装置による前記制御媒体装置の操作を無効とする手段を備え、
携帯端末装置による前記制御媒体装置の操作が無効となっている時に、前記ユーザ登録手段によって登録されたユーザが携帯端末装置から制御媒体装置を操作した場合、制御不可能である旨をメールで通知することを特徴とする遠隔制御システム。
【請求項７】
請求項１乃至請求項６の何れかの遠隔制御システムにおいて、
前記御媒体装置が、エアーコンディショナーやヒートポンプ給湯機などの冷凍サイクル機器であることを特徴とする遠隔制御システム。
【手続補正２】
【補正対象書類名】明細書
【補正対象項目名】００１３
【補正方法】変更
【補正の内容】
【００１３】
請求項１に記載の本発明が解決しようとする課題は、携帯端末装置から制御媒体装置を操作可能とするユーザを登録するユーザ登録手段と、ユーザ登録手段によって登録されたユーザを削除するユーザ削除手段とを備え、ユーザ削除手段は、ユーザ登録手段によって最初に登録が行われたユーザが実行可能であることを特徴とする遠隔制御システム。
【手続補正３】
【補正対象書類名】明細書
【補正対象項目名】００１４
【補正方法】削除
【補正の内容】
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】削除
【補正の内容】
【手続補正８】
【補正対象書類名】明細書
【補正対象項目名】００１９
【補正方法】削除
【補正の内容】
【手続補正９】
【補正対象書類名】明細書
【補正対象項目名】００２０
【補正方法】削除
【補正の内容】
【手続補正１０】
【補正対象書類名】明細書
【補正対象項目名】００２１
【補正方法】変更
【補正の内容】
【００２１】
本発明によれば、「なりすまし」者による不正使用を防止する遠隔制御システムを提供することができる。
【手続補正書】
【提出日】平成27年3月30日(2015.3.30)
【手続補正１】
【補正対象書類名】特許請求の範囲
【補正対象項目名】全文
【補正方法】変更
【補正の内容】
【特許請求の範囲】
【請求項１】
順不同実行を可能とするパイプライン化されたプロセッサにおいて命令を実行する方法であって、
分岐命令誤予測を検出すると、命令がプログラム順序を外れることができるポイントより前の、上位パイプラインを直ちにフラッシュすること（１０２）を備え、
前記誤予測された分岐命令を実行のためにコミットすると、すなわち、前記誤予測された分岐命令の実行を妨げるパイプライン・ハザードがない、および、より古い命令全ての実行を妨げるパイプライン・ハザードがない、とコンファームすると、前記命令がプログラム順序を外れることができるポイントより後の、下位パイプラインからコミットされていない命令全てをフラッシュすること（１２６）によって特徴付けられる方法。
【請求項２】
前記誤予測された分岐命令をコンファームすると、前記誤予測された分岐命令を、命令順序付けメカニズムにおけるように示すことを更に備えた請求項１に記載の方法。
【請求項３】
前記コミットされていない命令全てを下位パイプラインからフラッシュすること（１２６）は、前記誤予測された分岐命令が、コミットされた最も新しい命令である場合、前記命令順序付けメカニズムにおける誤予測された分岐命令インジケータに応答して命令をフラッシュすることを備えた請求項２に記載の方法。
【請求項４】
前記プロセッサは２つ以上のパイプラインを含み、分岐命令を実行する各パイプラインは、前記命令順序付けメカニズムにおける誤予測された分岐命令インジケータを設定するように動作可能なコンファーム・ステージを含む請求項２に記載の方法。
【請求項５】
前記上位パイプラインのフラッシュ（１０２）後、正しい分岐ターゲット・アドレスから命令をフェッチすること（１１４）を更に備えた請求項１に記載の方法。
【請求項６】
前記上位パイプラインのフラッシュ（１０２）後、コミットされていない命令全てが前記下位パイプラインからフラッシュされるまで、命令が順序を外れるポイントにおいて、またはこのポイントよりも前の上位パイプラインを停止することを更に備えた請求項５に記載の方法。
【請求項７】
推測的に割り当てられたリソースが、レジスタ再命名リソースを含む請求項６に記載の方法。
【請求項８】
コミットされていない命令を前記下位パイプラインからフラッシュする（１２６）と、コミットされていない命令に推測的に割り当てられたリソースの割当を解除することを更に備えた請求項１に記載の方法。
【請求項９】
コミットされていない命令に推測的に割り当てられたリソースの割当を解除することは、コミット済レジスタ再命名テーブルの内容を、推測的レジスタ再命名テーブルにコピーすることを含む請求項８に記載の方法。
【請求項１０】
制御論理（１１）と、
命令がプログラム順序を外れることができるポイントより前の上位パイプライン（１４）と、前記命令がプログラム順序を外れることができるポイントより後の１つ又は複数の下位パイプライン（１６）とを備えた、セグメント化された命令実行パイプライン（１２）とを備え、
前記制御論理（１１）は、誤予測された分岐を検出すると、前記上位パイプライン（１４）から全ての命令を直ちにフラッシュするように動作可能であり、前記制御論理は更に、前記誤予測された分岐命令を実行のためにコミットすると、すなわち、前記誤予測された分岐命令の実行を妨げるパイプライン・ハザードがない、および、より古い命令全ての実行を妨げるパイプライン・ハザードがない、とコンファームすると、コミットされていない命令全てを前記下位パイプライン（１６）からフラッシュするように動作可能であることを特徴とするプロセッサ（１０）。
【請求項１１】
前記制御論理（１１）は更に、前記上位パイプラインをフラッシュした後のサイクルにおいて、正しい分岐ターゲット・アドレスから命令をフェッチするように動作可能である請求項１０に記載のプロセッサ（１０）。
【請求項１２】
前記制御論理（１１）は更に、前記上位パイプラインのフラッシュ後、前記上位パイプライン（１４）の終点に保留を設置し、コミットされていない命令全てを前記下位パイプライン（１６）からフラッシュすると、前記保留を除去するように動作可能である請求項１１に記載のプロセッサ（１０）。
【請求項１３】
前記制御論理（１１）は、コンファーム及びコミットされた命令の状態をトラックするように動作可能な命令順序付けメカニズムであり、前記誤予測された分岐命令が、コンファームされた最も新しい命令である場合、コミットされていない命令全てを前記下位パイプライン（１６）からフラッシュするように更に動作可能な命令順序付けメカニズムを含む請求項１０に記載のプロセッサ（１０）。
【請求項１４】
前記命令順序付けメカニズム内の各エントリは、関連付けられた命令が、誤予測された分岐命令であるか否かを示すインジケーションを含む請求項１３に記載のプロセッサ（１０）。
【請求項１５】
分岐命令を実行する下位パイプライン（１６）の各々は、分岐命令が誤予測されたと判定された場合、誤予測された分岐インジケーションを、前記命令順序付けメカニズム内に設定するように動作可能なコンファーム状態を含む請求項１４に記載のプロセッサ（１０）。
【請求項１６】
汎用レジスタ（ＧＰＲ）論理識別子を物理レジスタに動的に関連付けるように動作可能なＧＰＲファイル（２０）を更に備え、前記ＧＰＲファイル（２０）は、
複数の物理レジスタと、
現在のＧＰＲ論理識別子全ての物理レジスタへのマッピングを含む推測的再命名テーブル（ＳＲＴ）（２２）と、
コミットされた命令のみについて、ＧＰＲ論理識別子の物理レジスタへのマッピングを含むコミット済再命名テーブル（ＣＲＴ）（２４）とを備え、
前記制御論理（１１）は、コミットされていない命令全てを前記下位パイプラインからフラッシュすると、前記ＣＲＴの内容を前記ＳＲＴにコピーするように動作可能である請求項１０に記載のプロセッサ（１０）。
【手続補正書】
【提出日】平成27年6月24日(2015.6.24)
【手続補正１】
【補正対象書類名】特許請求の範囲
【補正対象項目名】全文
【補正方法】変更
【補正の内容】
【特許請求の範囲】
【請求項１】
運転席の前方に設けられた透明な板状部材であるコンバイナーの表面に画像を投影することによって、該画像を該コンバイナーの前方の景色に重ねて表示するヘッドアップディスプレイ装置であって、
前記コンバイナーの上端面あるいは下端面の一方の端面に沿って配列され、該一方の端面から該コンバイナーの内部に向けて光を放射する複数の光放射手段と、
複数の前記光放射手段の中の一部の該光放射手段に対して設けられて、該光放射手段が前記コンバイナーの内部に向けて放射した光を、該コンバイナーの一方の側方端面である第１側方端面に向けて反射する第１反射部と、
複数の前記光放射手段の中の一部の該光放射手段に対して設けられて、該光放射手段が前記コンバイナーの内部に向けて放射した光を、前記第１側方端面と対向する側方端面である第２側方端面に向けて反射する第２反射部と、
前記コンバイナーの前記第１側方端面に設けられて、該コンバイナーの内部を経由して該第１側方端面に到達した光を拡散させる第１拡散部と、
前記コンバイナーの前記第２側方端面に設けられて、該コンバイナーの内部を経由して該第２側方端面に到達した光を拡散させる第２拡散部と、
前記第１反射部が設けられた前記光放射手段、あるいは前記第２反射部が設けられた前記光放射手段の少なくとも一方を選択して駆動することにより、該駆動した光放射手段から光を放射させる駆動手段と
を備え、
前記コンバイナーには、複数の前記光放射手段が配列された前記端面から所定距離の範囲内に運転者から視認できない不可視領域が設けられており、
前記第１反射部および前記第２反射部は、前記不可視領域内に形成されて、前記光放射手段から放射された光の進行方向を斜めに遮る空気溝であるヘッドアップディスプレイ装置。
【請求項２】
請求項１に記載のヘッドアップディスプレイ装置であって、
前記空気溝は、前記光放射手段から放射された光を遮る側の側面が、該光の進行方向に対して全反射の条件を満たす角度に形成された空気溝であるヘッドアップディスプレイ装置。
【請求項３】
請求項１または請求項２に記載のヘッドアップディスプレイ装置であって、
前記第１拡散部は、前記コンバイナーの前記第１側方端面が凹凸形状に形成された部分であり、
前記第２拡散部は、前記コンバイナーの前記第２側方端面が凹凸形状に形成された部分であるヘッドアップディスプレイ装置。
【請求項４】
請求項３に記載のヘッドアップディスプレイ装置であって、
前記コンバイナーは、前記第１側方端面および前記第２側方端面が、該コンバイナーに前記画像が投影される面に対して斜めに形成された部材であるヘッドアップディスプレイ装置。
【請求項５】
請求項１ないし請求項４の何れか一項に記載のヘッドアップディスプレイ装置であって、
前記コンバイナーの上端面または下端面の中で前記光放射手段が配列されていない側の端面には、
前記第１側方端面に近い側および前記第２側方端面に近い側に、前記コンバイナーの内部を経由して到達した光を拡散させる光拡散部が設けられており、
前記第１側方端面の側の前記光拡散部と前記第２側方端面の側の前記光拡散部との間には、該光拡散部よりも光を透過させる光透過部が設けられているヘッドアップディスプレイ装置。
【請求項６】
請求項１ないし請求項５の何れか一項に記載のヘッドアップディスプレイ装置であって、
前記光放射手段は、放射する光の色が異なる複数種類の該光放射手段が設けられており、
前記駆動手段は、放射する光の色を少なくとも１つ選択して、該選択した色の光を放射する前記光放射手段を駆動する手段であるヘッドアップディスプレイ装置。
【手続補正２】
【補正対象書類名】明細書
【補正対象項目名】０００９
【補正方法】変更
【補正の内容】
【０００９】
加えて、上述した本発明のヘッドアップディスプレイ装置においては、第１反射部および第２反射部が次のようにして設けられている。先ず、コンバイナーには、複数の光放射手段が配列された側の端面から所定距離の範囲内に、運転者から視認できない不可視領域を設けておく。そして、この不可視領域内に、光放射手段から放射されてコンバイナーの内部を進行する光の進行方向を斜めに遮る空気溝を形成することによって、第１反射部および第２反射部が設けられている。
【手続補正３】
【補正対象書類名】明細書
【補正対象項目名】００１０
【補正方法】変更
【補正の内容】
【００１０】
このため、光放射手段から放射されてコンバイナー内を進行する光は、不可視領域に形成された空気溝に斜めに入射することとなって空気溝の側面で反射される。その結果、光放射手段からの光を、第１側方端面あるいは第２側方端面に向けて反射することができる。また、コンバイナーに空気溝を設けておけばよいので、コンバイナーとは別に第１反射部および第２反射部を設ける必要がなく、部品点数を減少させることができる。加えて、空気溝はコンバイナーの不可視領域に設けられているので、コンバイナーの美観を損なうこともない。
【手続補正書】
【提出日】平成27年2月9日(2015.2.9)
【手続補正１】
【補正対象書類名】特許請求の範囲
【補正対象項目名】全文
【補正方法】変更
【補正の内容】
【特許請求の範囲】
【請求項１】
現像性接着層（Ａ）と、
該現像性接着層（Ａ）を介してフレキシブルプリント配線板に積層される現像性保護層（Ｂ）と、を有する感光性樹脂構造体であって、
少なくとも前記現像性保護層（Ｂ）は、光照射によりパターニングが可能であり、かつ、前記現像性接着層（Ａ）と前記現像性保護層（Ｂ）は、現像によりパターンを一括して形成することが可能であり、
前記現像性接着層（Ａ）が、前記現像性保護層（Ｂ）よりも厚いことを特徴とする感光性樹脂構造体。
【請求項２】
前記現像性接着層（Ａ）と前記現像性保護層（Ｂ）が共に、光照射によりパターニングが可能である請求項１に記載の感光性樹脂構造体。
【請求項３】
フレキシブルプリント配線板の屈曲部及び非屈曲部のうちの少なくともいずれか一方に用いられる請求項１又は２に記載の感光性樹脂構造体。
【請求項４】
フレキシブルプリント配線板のカバーレイ及びソルダーレジストのうちの少なくともいずれか一方を形成するために用いられる請求項１〜３のいずれか１項に記載の感光性樹脂構造体。
【請求項５】
請求項１〜４のいずれか１項に記載の感光性樹脂構造体の少なくとも片面が、フィルムで支持又は保護されていることを特徴とするドライフィルム。
【請求項６】
フレキシブルプリント配線板上に形成された請求項１〜４のうちいずれか１項に記載の感光性樹脂構造体を光照射によりパターニングし、現像によりパターンを一括して形成してなる保護膜を有することを特徴とするフレキシブルプリント配線板。
【請求項７】
前記現像性接着層（Ａ）は、フレキシブルプリント配線板上に、感光性又は非感光性の樹脂組成物（Ａ１）を塗布して形成される請求項６に記載のフレキシブルプリント配線板。
【手続補正書】
【提出日】平成27年3月19日(2015.3.19)
【手続補正１】
【補正対象書類名】明細書
【補正対象項目名】発明の名称
【補正方法】変更
【補正の内容】
【発明の名称】印字装置及び電力供給制御装置
【手続補正２】
【補正対象書類名】明細書
【補正対象項目名】０００１
【補正方法】変更
【補正の内容】
【０００１】
本発明は、印字装置及び電力供給制御装置に関する。
【手続補正３】
【補正対象書類名】明細書
【補正対象項目名】０００５
【補正方法】変更
【補正の内容】
【０００５】
しかしながら、様々な条件を考慮して印字装置の電力状態の切り替えを制御したいとの要望があった。
【手続補正４】
【補正対象書類名】明細書
【補正対象項目名】０００６
【補正方法】変更
【補正の内容】
【０００６】
そこで本発明は、様々な条件を考慮して印字装置の電力状態の切り替えを制御できる印字装置及び電力供給制御装置を提供することを目的とする。
【手続補正５】
【補正対象書類名】明細書
【補正対象項目名】０００７
【補正方法】変更
【補正の内容】
【０００７】
上記目的を達成するため、本発明に係る印字装置は、スリープ機能を備えた印字装置であって、スリープ状態から復帰する要因に応じて、該スリープ状態から復帰する際の処理に印字準備に係る処理を伴わせるか否かを制御する制御手段を備えたことを特徴とする。
また、上記目的を達成するため、本発明に係る他の態様の印字装置は、所定の電源からの本体への電力の供給と遮断とを切り替える切り替え手段と、前記切り替え手段により前記所定の電源からの前記本体への電力の供給が遮断されているときに所定の条件が満たされると、前記本体に前記所定の電源から電力が供給されるように前記切り替え手段を制御する制御手段と、を備え、前記制御手段は、満たされた前記所定の条件に応じて、前記本体に前記所定の電源から電力が供給された際に実行される前記本体での処理に印字準備に係る処理を伴わせるか否かを制御することを特徴とする。
また、上記目的を達成するため、本発明に係る電力供給制御装置は、所定の電源からの印字装置本体への電力の供給と遮断とを切り替える切り替え手段と、前記切り替え手段により前記所定の電源からの前記印字装置本体への電力の供給が遮断されているときに所定の条件が満たされると、前記印字装置本体に前記所定の電源から電力が供給されるように前記切り替え手段を制御する制御手段と、を備え、前記制御手段は、満たされた前記所定の条件に応じて、前記印字装置本体に前記所定の電源から電力が供給された際に実行される前記印字装置本体での処理に印字準備に係る処理を伴わせるか否かを制御することを特徴とする。
【手続補正６】
【補正対象書類名】明細書
【補正対象項目名】０００８
【補正方法】変更
【補正の内容】
【０００８】
本発明によれば、様々な条件を考慮して印字装置の電力状態の切り替えを制御できる。
【手続補正７】
【補正対象書類名】特許請求の範囲
【補正対象項目名】全文
【補正方法】変更
【補正の内容】
【特許請求の範囲】
【請求項１】
スリープ機能を備えた印字装置であって、
スリープ状態から復帰する要因に応じて、該スリープ状態から復帰する際の処理に印字準備に係る処理を伴わせるか否かを制御する制御手段を備えたことを特徴とする印字装置。
【請求項２】
前記制御手段は、
前記復帰する要因としてネットワークを介して接続された機器から起動命令を受信した場合は、スリープ状態から復帰する際の処理に印字準備に係る処理を伴わせるように制御し、
前記復帰する要因としてユーザにより該印字装置に設けられた入力手段が起動操作された場合は、スリープ状態から復帰する際の処理に印字準備に係る処理を伴わせないように制御することを特徴とする請求項１に記載の印字装置。
【請求項３】
前記制御手段は、
前記復帰する要因としてネットワークを介して接続された機器から起動命令を受信した場合は、スリープ状態から復帰する際の処理に印字準備に係る処理を伴わせるように制御し、
前記復帰する要因として予め設定された経過時間または時刻を満たした場合は、スリープ状態から復帰する際の処理に印字準備に係る処理を伴わせないように制御することを特徴とする請求項１に記載の印字装置。
【請求項４】
所定の電源からの本体への電力の供給と遮断とを切り替える切り替え手段と、
前記切り替え手段により前記所定の電源からの前記本体への電力の供給が遮断されているときに所定の条件が満たされると、前記本体に前記所定の電源から電力が供給されるように前記切り替え手段を制御する制御手段と、
を備え、
前記制御手段は、満たされた前記所定の条件に応じて、前記本体に前記所定の電源から電力が供給された際に実行される前記本体での処理に印字準備に係る処理を伴わせるか否かを制御することを特徴とする印字装置。
【請求項５】
所定の電源からの印字装置本体への電力の供給と遮断とを切り替える切り替え手段と、
前記切り替え手段により前記所定の電源からの前記印字装置本体への電力の供給が遮断されているときに所定の条件が満たされると、前記印字装置本体に前記所定の電源から電力が供給されるように前記切り替え手段を制御する制御手段と、
を備え、
前記制御手段は、満たされた前記所定の条件に応じて、前記印字装置本体に前記所定の電源から電力が供給された際に実行される前記印字装置本体での処理に印字準備に係る処理を伴わせるか否かを制御することを特徴とする電力供給制御装置。
【手続補正書】
【提出日】平成27年4月28日(2015.4.28)
【手続補正１】
【補正対象書類名】特許請求の範囲
【補正対象項目名】全文
【補正方法】変更
【補正の内容】
【特許請求の範囲】
【請求項１】
粒子流における粒子を流体力学的および音響的に収束させる装置であって、該装置は、
フローチャンバと、
該フローチャンバ内の外側領域であって、該外側領域を通してシース流体を流す、外側領域と、
該フローチャンバの中央コアであって、該中央コアを通して該粒子のサンプル流を流す、中央コアと、
音響放射圧を生成する、該チャンバに連結された少なくとも１つの振動子と
を備え、該振動子は、該粒子が最初に音響的に収束させられ、その後流体力学的に収束させられるように配置されている、装置。
【請求項２】
前記振動子は、前記フローチャンバの外壁に連結されている、請求項１に記載の装置。
【請求項３】
前記振動子は、前記フローチャンバの壁を形成する、請求項１に記載の装置。
【請求項４】
前記収束させられた粒子を検査するように構成されたレーザをさらに備える、請求項１に記載の装置。
【請求項５】
前記少なくとも１つの振動子は、定存波を生成する、請求項１に記載の装置。
【請求項６】
前記音響放射圧は、力ポテンシャル極小点に前記粒子を押し付ける、請求項１に記載の装置。
【請求項７】
前記粒子は、一列の線に収束させられる、請求項１に記載の装置。
【請求項８】
前記粒子は、一次元に収束させられ、直交方向に拡散することを可能にされる、請求項１に記載の装置。
【請求項９】
前記流体力学的収束は、前記粒子をある平面に局所化し、音響的収束は、粒子を別の平面に局所化する、請求項１に記載の装置。
【請求項１０】
少なくとも１つの粒子を音響的および流体力学的に収束させる方法であって、該方法は、
音響放射圧を使用して、サンプル流内に少なくとも１つの粒子を収束させることと、
流体力学的収束を使用して、該サンプル流内に少なくとも１つの粒子を収束させることと
を含み、該少なくとも１つの粒子は、最初に、音響放射圧を使用して収束させられ、その後、流体力学的収束を使用して収束させられる、方法。
【請求項１１】
レーザを用いて、前記少なくとも１つの収束させられた粒子を検査するステップをさらに含む、請求項１０に記載の方法。
【請求項１２】
前記音響放射圧を使用して力ポテンシャル極小点に前記粒子を押し付けるステップをさらに含む、請求項１０に記載の方法。
【請求項１３】
前記粒子は、一列の線に収束させられる、請求項１０に記載の方法。
【請求項１４】
前記粒子は、一次元に収束させられ、直交方向に拡散することを可能にされる、請求項１０に記載の方法。
【請求項１５】
前記サンプル流は、前記粒子をある平面に局所化し、前記音響放射圧は、該粒子を別の平面に局所化する、請求項１０に記載の方法。
【請求項１６】
粒子流における粒子を流体力学的および音響的に収束させる装置であって、該装置は、
フローチャンバと、
該フローチャンバ内の外側領域であって、該外側領域を通してシース流体を流す、外側領域と、
該フローチャンバの中央コアであって、該中央コアを通して該粒子のサンプル流を流す、中央コアと、
音響放射圧を生成する、該チャンバに連結された少なくとも１つの振動子と
を備え、該振動子は、該粒子が最初に流体力学的に収束させられ、その後音響的に収束させられるように配置されている、装置。
【請求項１７】
前記振動子は、前記フローチャンバの外壁に連結されている、請求項１６に記載の装置。
【請求項１８】
前記振動子は、前記フローチャンバの壁を形成する、請求項１６に記載の装置。
【請求項１９】
前記収束させられた粒子を検査するように構成されたレーザをさらに備える、請求項１６に記載の装置。
【請求項２０】
前記少なくとも１つの振動子は、定存波を生成する、請求項１６に記載の装置。
【請求項２１】
前記音響放射圧は、力ポテンシャル極小点に前記粒子を押し付ける、請求項１６に記載の装置。
【請求項２２】
前記粒子は、一列の線に収束させられる、請求項１６に記載の装置。
【請求項２３】
前記粒子は、一次元に収束させられ、直交方向に拡散することを可能にされる、請求項１６に記載の装置。
【請求項２４】
前記流体力学的収束は、前記粒子をある平面に局所化し、音響的収束は、粒子を別の平面に局所化する、請求項１６に記載の装置。
【請求項２５】
少なくとも１つの粒子を音響的および流体力学的に収束させる方法であって、該方法は、
音響放射圧を使用して、サンプル流内に少なくとも１つの粒子を収束させることと、
流体力学的収束を使用して、該サンプル流内に少なくとも１つの粒子を収束させることと
を含み、該少なくとも１つの粒子は、最初に、流体力学的収束を使用して収束させられ、その後、音響放射圧を使用して収束させられる、方法。
【請求項２６】
レーザを用いて、前記少なくとも１つの収束させられた粒子を検査するステップをさらに含む、請求項２５に記載の方法。
【請求項２７】
前記音響放射圧を使用して力ポテンシャル極小点に前記粒子を押し付けるステップをさらに含む、請求項２５に記載の方法。
【請求項２８】
前記粒子は、一列の線に収束させられる、請求項２５に記載の方法。
【請求項２９】
前記粒子は、一次元に収束させられ、直交方向に拡散することを可能にされる、請求項２５に記載の方法。
【請求項３０】
前記サンプル流は、前記粒子をある平面に局所化し、前記音響放射圧は、該粒子を別の平面に局所化する、請求項２５に記載の方法。
【手続補正書】
【提出日】平成27年2月10日(2015.2.10)
【手続補正１】
【補正対象書類名】特許請求の範囲
【補正対象項目名】全文
【補正方法】変更
【補正の内容】
【特許請求の範囲】
【請求項１】
車両の前部に設けられた荷役装置と、
前記車両の後部に設けられたカウンターウェイトと、
前記車両の内部において前記カウンターウェイトの前方に形成されたエンジンルーム内に収納されたエンジンと、
前記エンジンルーム内に配置された前記エンジンの排気ガスを浄化するように構成された排気浄化装置と
を備え、
前記エンジンは、前記車両が有する車体フレームに取り付けられたブラケットによって両側面から吊り下げ支持され、
前記車体フレームには、前記エンジンに向って水平方向に突出するようにリブが設けられており、
前記ブラケットは、
前記リブに固定される水平面、及び、該水平面に連結された垂直面を備える支持部材と、
一端が前記垂直面に対して平行に固定されると共に他端が前記エンジンの表面に対して平行に固定される固定部材と
を備えることを特徴とする産業用車両。
【請求項２】
前記エンジンの排気管において前記排気浄化装置より下流側に設けられた消音装置を備え、
該消音装置は前記エンジンルーム内に配置されていることを特徴とする請求項１に記載の産業用車両。
【請求項３】
前記排気浄化装置は、前記エンジンの冷却水を放熱するラジエータより前方に配置されていることを特徴とする請求項１又は２に記載の産業用車両。
【請求項４】
前記エンジンは、前記車両が有する車体フレームに取り付けられたブラケットによって両側面から吊り下げ支持されていることを特徴とする請求項１から３のいずれか一項に記載の産業用車両。
【請求項５】
前記排気浄化装置はフロースルータイプのディーゼルパティキュレートフィルタであることを特徴とする請求項１に記載の産業用車両。
【請求項６】
前記排気浄化装置は、前記エンジンが前記ブラケットによって吊り下げ支持されることで形成される前記エンジンの下方のスペースに設置されていることを特徴とする請求項１に記載の産業用車両。
【請求項７】
燃料タンクを備え、
該燃料タンクは、前記カウンターウェイトの上方に配置されていることを特徴とする請求項１に記載の産業用車両。
【手続補正書】
【提出日】平成27年9月17日(2015.9.17)
【手続補正１】
【補正対象書類名】特許請求の範囲
【補正対象項目名】全文
【補正方法】変更
【補正の内容】
【特許請求の範囲】
【請求項１】
互いに活性温度領域の異なるＣＯシフト触媒が、ガス流れ方向に対して複数配置されるＣＯシフト反応部を備え、
前記ＣＯシフト触媒として、前記ＣＯシフト反応部の前流部に、第1温度領域を有するＮｉ−Ｍｏ系触媒が配置され、前記ＣＯシフト反応部の後流部に、第２温度領域を有する耐久性の高いＣＯシフト触媒が配置されてなる、ＣＯシフト反応装置。
【請求項２】
前記ＣＯシフト反応部が、直列に複数配列されてなる、請求項１に記載のＣＯシフト反応装置。
【請求項３】
前記ＣＯシフト反応部間において、未反応のガスを循環するラインを更に備える、請求項２に記載のＣＯシフト反応装置。
【請求項４】
前記ＣＯシフト反応部におけるシフト反応後のガスを、第１温度領域の温度に冷却する熱交換部を更に備える、請求項２又は３に記載のＣＯシフト反応装置。
【請求項５】
前記Ｎｉ−Ｍｏ系触媒が、モリブデン（Ｍｏ）を主成分とすると共に、ニッケル（Ｎｉ）を副成分とする活性成分と、前記活性成分を担持するチタン（Ｔｉ）、ジルコニウム（Ｚｒ）及びセリウム（Ｃｅ）の酸化物のいずれか一種又は二種以上を担体とするものである、請求項１〜４のいずれかに記載のＣＯシフト反応装置。
【請求項６】
前記耐久性の高いＣＯシフト触媒が、Ｃｏ−Ｍｏ系触媒である、請求項１〜５のいずれかに記載のＣＯシフト反応装置。
【請求項７】
前記耐久性の高いＣＯシフト触媒が、Ｎｉ−Ｍｏ系触媒である、請求項１〜５のいずれかに記載のＣＯシフト反応装置。
【請求項８】
前記第１温度領域が、１５０〜３００℃の範囲であり、前記第２温度領域が、３００〜５００℃の範囲である、請求項１〜７のいずれかに記載のＣＯシフト反応装置。
【請求項９】
石炭をガス化したガス（ガス化ガス）に含まれるＣＯをＣＯ２に変換するＣＯシフト変換方法であって、
前記ガス化ガスを、ガス流れ方向に対して複数配置された、互いに耐久性が高く、温度領域の異なるＣＯシフト触媒と接触させる工程を含む、ＣＯシフト変換方法。
【請求項１０】
前記接触させる工程が、前記ガス化ガスを、第1温度領域を有するＮｉ−Ｍｏ系触媒と接触させた後、第２温度領域を有する耐久性の高いＣＯシフト触媒と接触させることを含む、請求項９に記載のＣＯシフト変換方法。
【請求項１１】
前記耐久性の高いＣＯシフト触媒と接触させたガス化ガスを、再度前記Ｎｉ−Ｍｏ系触媒と接触させる工程を更に含む、請求項１０に記載のＣＯシフト変換方法。
【請求項１２】
前記耐久性の高いＣＯシフト触媒と接触させたガス化ガスを、第１温度領域の温度に冷却する工程を更に含む、請求項１０又は１１に記載のＣＯシフト変換方法。
【手続補正書】
【提出日】平成27年10月9日(2015.10.9)
【手続補正１】
【補正対象書類名】特許請求の範囲
【補正対象項目名】請求項１
【補正方法】変更
【補正の内容】
【請求項１】
平均一次粒子径が０．１〜１０μｍの球状の熱伝導性粒子（Ａ）１００重量部と、
窒素原子を有する有機結着剤（Ｂ）０．１〜３０重量部とを含む、
平均粒子径が２〜１００μｍ、圧縮変形率１０％に要する平均圧縮力が５ｍＮ以下であることを特徴とする易変形性凝集体（Ｄ）。
（但し、下記（ア）、（イ）の場合を除く。
（ア）平均一次粒子径が５μｍのアルミナ粒子１００重量部と、ポリビニルピロリドン１０重量部とを含み、平均粒子径が４０μｍ、平均圧縮力が２ｍＮである易変形性凝集体。
（イ）平均一次粒子径が２μｍのアルミナ粒子１００重量部と、ポリウレタン樹脂２重量部とを含み、平均粒子径が２０μｍ、平均圧縮力が０．５ｍＮである易変形性凝集体。）
【手続補正書】
【提出日】平成27年4月9日(2015.4.9)
【手続補正１】
【補正対象書類名】特許請求の範囲
【補正対象項目名】全文
【補正方法】変更
【補正の内容】
【特許請求の範囲】
【請求項１】
金属層と、この金属層を挟むように配される一対のプラスチックフィルム層Ａ及びプラスチックフィルム層Ｂとを含む基材と、
前記基材のうち、前記プラスチックフィルム層Ｂ側の面に積層される粘着剤層とを備え、
前記金属層の厚みが２μｍ〜１５μｍであり、
前記プラスチックフィルム層Ａの厚みＴａと前記プラスチックフィルム層Ｂの厚みＴｂとの合計が、２５μｍ〜７０μｍであり、
前記基材の総厚みが、４０μｍ〜９０μｍであり、
前記厚みＴａが、前記厚みＴｂよりも大きく、
前記厚みＴａと前記厚みＴｂとの比（Ｔａ／Ｔｂ）が、１．５〜７．０であり、
前記金属層の厚みが、前記プラスチックフィルム層Ｂの厚みＴｂよりも小さい粘着シート。
【請求項２】
前記厚みＴａと前記厚みＴｂとの比（Ｔａ／Ｔｂ）が、２．０〜４．０である請求項１に記載の粘着シート。
【請求項３】
磁気ディス装置用カバーシールとして利用される請求項１又は請求項２に記載の粘着シート。
【請求項４】
磁気ディスクを含む磁気ディスクユニットと、
前記磁気ディスクに対する情報の読み書きを行う磁気ヘッドを含むヘッドユニットと、
一方向に開口した箱状をなし、前記開口を囲む枠状端部を含みつつ、内部で前記磁気ディスクユニット及び前記ヘッドユニットを収納するベース部と、
外周縁が前記枠状端部の内周縁で囲まれる形で前記開口を覆うように前記ベース部に取り付けられるカバー部と、
前記枠状端部の内周縁と前記カバー部の外周縁との間に形成される隙間を塞ぐように、前記枠状端部と前記カバー部とに亘って貼り付けられるカバーシールと、を備える磁気ディスク装置において、
前記カバーシールとして利用される請求項１〜３の何れか１項に記載の粘着シート。
【請求項５】
磁気ディスクを含む磁気ディスクユニットと、
前記磁気ディスクに対する情報の読み書きを行う磁気ヘッドを含むヘッドユニットと、
上方に開口した箱状をなし、前記開口を囲む枠状端部を含み、内部で前記磁気ディスクユニット及び前記ヘッドユニットを収納するベース部と、
外周縁が前記枠状端部の内周縁で囲まれるように前記開口を覆う形で前記ベース部に取り付けられるカバー部と、
前記枠状端部の内周縁と前記カバー部の外周縁との間に形成される隙間を塞ぐように、前記枠状端部と前記カバー部とに亘って貼り付けられ、請求項１〜４の何れか１項に記載の粘着シートからなるカバーシールと、を備える磁気ディスク装置。
【手続補正書】
【提出日】平成27年5月11日(2015.5.11)
【手続補正１】
【補正対象書類名】特許請求の範囲
【補正対象項目名】請求項３
【補正方法】変更
【補正の内容】
【請求項３】
炭素繊維二方向クロス、およびカーボンブラックを含有したマトリックス樹脂からなるクロスプリプレグの製造方法であって、目付が１７０〜８００ｇ／ｍ２である炭素繊維二方向クロスを、エポキシ樹脂成分１００質量部に対して、０．０５〜１．０質量部のカーボンブラックを含有するエポキシ樹脂組成物で含浸させることによって、プリプレグ中のマトリックス樹脂の質量含有率を３０〜５０質量％とするに際して、該プリプレグ表面の樹脂層の厚みを０．１〜０．７ｍｍとすることを特徴とする、プリプレグの製造方法。
【手続補正２】
【補正対象書類名】明細書
【補正対象項目名】００３８
【補正方法】変更
【補正の内容】
【００３８】
本発明の繊維強化複合材料における表面のピンホールは、０．３ｍ×０．３ｍの成形品を成形し、そのパネル表面に存在する目視可能なボイド数で定義される。この際、成形時の昇温速度を１．５〜２．５℃／分の範囲に調整するとよい。
【手続補正３】
【補正対象書類名】明細書
【補正対象項目名】００４７
【補正方法】変更
【補正の内容】
【００４７】
（実施例３）
実施例１で用いた炭素繊維二方向クロス、樹脂組成を使用し、配合するカーボンブラックをエポキシ樹脂成分１００質量部に対して１．０質量部を含んだクロスプリプレグを作製した。その際、プリプレグ表面の樹脂層の厚みは０．５ｍｍとなるように製造条件を調節した。
【手続補正書】
【提出日】平成27年11月2日(2015.11.2)
【手続補正１】
【補正対象書類名】特許請求の範囲
【補正対象項目名】全文
【補正方法】変更
【補正の内容】
【特許請求の範囲】
【請求項１】
車両のルーフに形成したルーフ開口を塞ぐサンルーフパネルを前後移動させることによりルーフ開口を開閉するサンルーフにおいて、
前記ルーフ開口の前端側に配置されていてルーフ開口の開口時に走行風を受けるデフレクターパネルと、このデフレクターパネルを、走行風を受けるべく立ち上がった作用姿勢と該作用姿勢から倒伏した格納姿勢とに姿勢変更可能に支持するデフレクター支持機構と、車体側に固定されたヒンジベースとを備え、
前記デフレクター支持機構は、一端側がデフレクターパネルに枢支連結され他端側がヒンジベースに枢支連結されていてデフレクターパネルの姿勢変更動作と連動して上下揺動し且つヒンジベースに接当することによりデフレクターパネルを第１の作用姿勢に保持するヒンジアームを備え、
前記ヒンジベースに嵌合取着され且つヒンジアームが接当することでデフレクターパネルを前記第１の作用姿勢と立ち上がり角度の異なる第２の作用姿勢に保持するストッパを設け、このストッパがヒンジベースに切り離し可能に一体形成されていることを特徴とするサンルーフのデフレクター構造。
【請求項２】
前記ヒンジベースはヒンジアームに設けられた接当部が接当することによりデフレクターパネルを第１の作用姿勢に保持する規制部を備え、前記ストッパはこの規制部に嵌合取着され且つヒンジアームの前記接当部が接当することでデフレクターパネルを第２の作用姿勢に保持することを特徴とする請求項１に記載のデフレクター構造。
【請求項３】
前記ヒンジベースに、上下貫通状のストッパ挿通孔を前記規制部に隣接させて形成し、このストッパ挿通孔にヒンジベースから切り離したストッパを挿通させた状態で、該ストッパを規制部に近接する方向に移動させることにより、該ストッパが規制部を上下に挟み込んで嵌合取着されるよう構成されていることを特徴とする請求項２に記載のサンルーフのデフレクター構造。
【手続補正２】
【補正対象書類名】明細書
【補正対象項目名】０００８
【補正方法】変更
【補正の内容】
【０００８】
前記技術的課題を解決するために本発明が講じた技術的手段は、以下に示す点を特徴とする。
請求項１に係る発明では、車両のルーフに形成したルーフ開口を塞ぐサンルーフパネルを前後移動させることによりルーフ開口を開閉するサンルーフにおいて、
前記ルーフ開口の前端側に配置されていてルーフ開口の開口時に走行風を受けるデフレクターパネルと、このデフレクターパネルを、走行風を受けるべく立ち上がった作用姿勢と該作用姿勢から倒伏した格納姿勢とに姿勢変更可能に支持するデフレクター支持機構と、車体側に固定されたヒンジベースとを備え、
前記デフレクター支持機構は、一端側がデフレクターパネルに枢支連結され他端側がヒンジベースに枢支連結されていてデフレクターパネルの姿勢変更動作と連動して上下揺動し且つヒンジベースに接当することによりデフレクターパネルを第１の作用姿勢に保持するヒンジアームを備え、
前記ヒンジベースに嵌合取着され且つヒンジアームが接当することでデフレクターパネルを前記第１の作用姿勢と立ち上がり角度の異なる第２の作用姿勢に保持するストッパを設け、このストッパがヒンジベースに切り離し可能に一体形成されていることを特徴とする。
【手続補正３】
【補正対象書類名】明細書
【補正対象項目名】００１０
【補正方法】変更
【補正の内容】
【００１０】
本発明によれば、ヒンジアームが接当することでデフレクターパネルを第１の作用姿勢と立ち上がり角度の異なる第２の作用姿勢に保持するストッパをヒンジベースに嵌合取着するようにしたので、デフレクターパネルの作用姿勢での立ち上がり角度を変更する手段の、構造が簡易であると共に部品点数の減少を図ることができる。
また、ストッパがヒンジベースと一体形成されているので、生産工数の増加を防ぐことができる。
【手続補正書】
【提出日】平成27年2月10日(2015.2.10)
【手続補正１】
【補正対象書類名】特許請求の範囲
【補正対象項目名】全文
【補正方法】変更
【補正の内容】
【特許請求の範囲】
【請求項１】
オペレータによるブレーキ操作力を補助するように構成されたブレーキブースタと、
前記ブレーキブースタに負圧を供給するように構成された電動バキュームポンプと、
前記ブレーキブースタにおける真空度を検出するように構成された真空度検出手段と、
前記電動バキュームポンプの連続運転時間を計測するように構成された連続運転時間計測手段と、
前記真空度検出手段によって検出された真空度、及び、前記連続運転時間計測手段によって計測された連続運転時間に基づいて、前記電動バキュームポンプを制御するように構成されたポンプ制御手段と
を備えるブレーキシステムであって、
前記ポンプ制御手段は、前記真空度が予め設定された所定上限値より大きくなった場合と、前記連続運転時間が予め設定された所定時間より長くなった場合とのいずれか早い方のタイミングで、前記電動バキュームポンプを停止させるように構成され、
前記電動バキュームポンプと前記ブレーキブースタとの間に、前記電動バキュームポンプから供給された負圧を蓄えるように構成された複数の真空タンクを有し、
前記複数の真空タンクの各々は、真空度が同じになるように連通されており、
前記複数の真空タンクの内の少なくとも一つの真空タンクに取り付けられた、前記真空タンクの真空度が前記所定上限値以上になると閉状態から開状態に切り替わるように構成された第１圧力スイッチと、
前記複数の真空タンクの内の少なくとも一つの真空タンクに取り付けられた、前記真空タンクの真空度が前記所定下限値以下になると閉状態から開状態に切り替わるように構成された第２圧力スイッチと、をさらに備え、
前記真空度検出手段は、前記第１圧力スイッチおよび前記第２圧力スイッチの開閉状態に基づいて前記ブレーキブースタにおける真空度を検出するように構成されていることを特徴とするブレーキシステム。
【請求項２】
前記ポンプ制御手段は、前記真空度が予め設定された所定下限値未満になった時に、前記電動バキュームポンプを作動させると共に、前記連続運転時間計測手段による前記連続運転時間の計測を開始させるように構成されたことを特徴とする請求項１に記載のブレーキシステム。
【請求項３】
前記連続運転時間計測手段によって計測された前記連続運転時間が前記所定時間以上に達した際に、前記真空度が前記所定下限値未満である場合、警告を出力するように構成された警告出力手段を備えたことを特徴とする請求項２に記載のブレーキシステム。
【請求項４】
前記第１圧力スイッチおよび前記第２圧力スイッチは、前記複数の真空タンクの各々に夫々取り付けられていることを特徴とする請求項１に記載のブレーキシステム。
【請求項５】
請求項１から４のいずれか一項に記載のブレーキシステムを備えることを特徴とする産業車両。
【請求項６】
請求項１から４のいずれか一項に記載のブレーキシステムにおけるブレーキ制御方法であって、
オペレータによるブレーキ操作力を補助するブレーキブースタにおける真空度を検出する工程と、
前記ブレーキブースタに負圧を供給する電動バキュームポンプの連続運転時間を計測する工程と、
前記真空度が予め設定された所定上限値より大きくなった場合と、前記連続運転時間が予め設定された所定時間より長くなった場合とのいずれか早い方のタイミングで、前記電動バキュームポンプを停止させる工程と、を備えることを特徴とするブレーキ制御方法。
【請求項７】
前記真空度が予め設定された所定下限値未満になった時に、前記電動バキュームポンプを作動させると共に、前記連続運転時間の計測を開始する工程をさらに備えることを特徴とする請求項６に記載のブレーキ制御方法。
【請求項８】
前記連続運転時間が前記所定時間以上に達した際に、前記真空度が前記所定下限値未満である場合に警告を出力する工程をさらに備えることを特徴とする請求項７に記載のブレーキ制御方法。